(57)【特許請求の範囲】
【請求項１】
ベルト保持フレームの前後端側にローラを設けて、コンベアベルトを巻回可能に取付けた搬送台と、この搬送台をその上面に載置係合してなる支持架台とよりなり、前記搬送台はベルト保持フレームの前後端側の少なくとも一方にはローラを有する上方向に回動可能なブラケットを設けて、コンベアベルトをベルト保持フレームに取外し可能に形成し、支持架台の略中央部に設けられる駆動プーリと搬送台のベルト保持フレームに設けられるスナップローラとにより駆動部を形成して、前記駆動プーリとスナップローラを密接してコンベアベルトを駆動プーリとスナップローラとの間を圧接状に挿通して駆動プーリに巻回して駆動させてなるコンベア装置において、脚部と載置部とから形成される支持架台は、その載置部の上端四隅に係合凹部を形成し、搬送台のベルト保持フレームの対応位置にこの係合凹部に脱抜可能に嵌合される差込片を形成するとともにベルト保持フレームの両側に垂設される垂下片に下向きに開口された切欠部を穿設して載置部に設けられた駆動プーリの支軸に脱抜可能に装着して、コンベアベルトをベルト保持フレームに、かつ、搬送台を支持架台に、それぞれの構成部材をユニット単位で分離可能に取付けることを特徴とする着脱式コンベア装置。
【発明の詳細な説明】
【０００１】
【発明の属する技術分野】
この発明は、コンベアベルトを有する搬送台を支持架台に設けられるコンベア装置、とくに搬送台と支持架台を分離可能とする着脱式コンベア装置に関するものである。
【０００２】
【従来の技術】
従来、食品類を始めとする各種物品は、コンベアベルト等を用いた搬送装置により搬送されて次の工程に移送することが行われている。
【０００３】
これらのコンベアベルトを用いた搬送装置は、搬送する物品の種類、大きさ、外観形状等の条件に合わせたものが選定されているが、コンベアベルトがその駆動状態において、その脱抜は無論のこと、揺動や摺動によって緩んだり、左右いずれかの方向にずれが生じることがあり、この種のトラブルを防止するため種々の手段が講じられている。
【０００４】
同時に、とくに食品類を移送するコンベア装置は、コンベアベルトを取付けたフレームとこのフレームを支持する脚台が一体的に形成されているが、常に衛生管理が要求されて、直接搬送される食品類が接触するコンベアベルトばかりでなく、水分や汚れが浸透し易いフレームや脚台、とくに各種の防止手段やその接続部位等も定期的あるいは随時洗浄され、常に清潔に保つことが求められている。
【０００５】
【発明が解決しようとする課題】
しかしながら従来この種のコンベアベルトを用いた搬送装置は、そのコンベアベルトの揺動や摺動によるトラブルを防止し、その運転効率を考慮してフレームと脚台を一体または一体的に形成されているものが用いられている。
【０００６】
このため洗浄して清掃する際には、そのコンベアベルトのみならず、水分や汚れが浸透する可能性のあるフレームや脚台もその都度分解して行わなければならず、分解や清掃後の再組立てが非常に複雑となり面倒であるばかりでなく、搬送の中断または停止を招き、さらには搬送ラインの長短によって搬送台の長さを変えるたびに脚台も交換しなければならなかった。
【０００７】
このためコンベアベルトを取付ているフレームの一部を回動可能として、搬送に供される食品類と接触するコンベアベルトを着脱可能に設けることにより、取外しての清掃が可能となるが、フレームと脚台は清掃の度に分解しなければならない煩雑さがあった。
【０００８】
しかしながらフレームと脚台は、コンベアベルトの駆動に大きな影響を与えるため、分解時のみならず、再組立ての際にも慎重に行って、コンベアベルトがトラブルを生じないようにしなければならず、煩雑さがあった。
【０００９】
この発明は、上記に鑑みてなされたもので、コンベアベルトを有する搬送台と支持架台とが分離されるように着脱可能に組立て、その分解や組み立てが容易に行なわれ、その清掃を各部材のユニット単位に行なうことができる着脱式コンベア装置を提供することを目的とするものである。
【００１０】
【課題を解決するための手段】
上記課題を達成するために、本発明に係る着脱式コンベア装置は、ベルト保持フレームの前後端側にローラを設けて、コンベアベルトを巻回可能に取付けた搬送台と、この搬送台をその上面に載置係合してなる支持架台とよりなるコンベア装置において、前記搬送台を支持架台に分離可能に取付けて、各構成部材をユニット単位で分離して、洗浄や交換に供されることを特徴とするものである。
【００１１】
さらに、前記搬送台を係合する支持架台は、脚部と載置部とから形成され、その載置部の上端四隅には係合凹部を形成し、搬送台のフレームの対応位置に形成された差込片を脱抜可能に嵌合して取付けられて、搬送台の支持架台からの脱抜の容易性と同時にその再組立ての際の芯出しを正確にしてなることを特徴とするものである。
【００１２】
さらに、前記搬送台は、前記支持架台の前後端側の少なくとも一方には、ローラを有するブラケットを上方向に回動可能に設けて、コンベアベルトをベルト保持フレームに脱抜可能に形成して、必要に応じてベルトコンベアのみを取外してなることを特徴とするものである。
【００１３】
さらに、前記支持架台の略中央部に設けられる駆動プーリと、搬送台のベルト保持フレームに設けられるスナップローラとにより駆動部を形成し、前記駆動プーリとスナップローラを密接して、コンベアベルトを駆動プーリとスナップローラとの間を圧接状に挿通し、駆動プーリに巻回して駆動させて、駆動時におけるコンベアベルトの張力を強めて駆動効率を高め、また、搬送台の脱抜の際コンベアベルトを装着したままの状態で支持架台より取外すことを特徴とするものである。
【００１４】
さらに、前記搬送台は、ベルト保持フレームの両側に垂設される垂下片に下向きに開口された切欠部を穿設して、駆動部の駆動プーリの支軸に脱抜可能に装着して、搬送台を取り外すことによりコンベアベルトを弛緩して容易に取外せることを特徴とするもである。
【００１５】
【発明の実施の形態】
以下、この発明に係る着脱式コンベア装置の実施の形態につき添付図面に基づいて説明する。
図１は、この発明に係る着脱式コンベア装置の一例を示す正面側の略示図、図２は、支持架台より取り外された搬送台を示す略示図、図３は、同じく搬送台を示す平面側の略示図、図４は、支持架台への駆動部の取付け状態を示す側面側の略示図である。
【００１６】
この発明に係る着脱式コンベア装置は、回動される無端状のコンベアベルト７を有する搬送台１と、この搬送台１をその上面に載置係合されてコンベアベルト７を回動駆動させるための駆動部３を有する支持架台２とにより、搬送台１をその上面から分離されるように着脱可能に構成されている。
【００１７】
前記搬送台１は、図２および図３に示されるように、適宜長さを有するベルト保持フレーム４と、このベルト保持フレーム４の前後両端側に突設されるローラ５を有する回動可能なブラケット６と、ベルト保持フレーム４の上下面および先端側に設けられているブラケット６のローラ５、５間に回動可能に巻回され、食品類等の各種搬送物品を移送する無端状のコンベアベルト７とにより形成されている。
【００１８】
ベルト保持フレーム４は、主としてステンレス等の金属板が用いられ、その上面側を平板状のベルト載置片８とし、その両側に垂下片９を一体的に垂設し、その中央部分には、コンベアベルト７の蛇行防止用凹部１０をその長さ方向に穿設している。
【００１９】
ローラ５を有するブラケット６は、図２に示されるように、ベルト保持フレーム４の前後端より外方に突出状に設けて、ベルト保持フレーム４の上方に回動されるように連結され、このブラケット６を上方に回動することにより、コンベアベルト７が弛緩して取外し可能とするものである。
【００２０】
なお、このローラ５を有する回動可能なブラケット６は、必ずしもベルト保持フレーム４の前後端側に設けるものではなく、そのいずれか一方のみとして、その他方はベルト保持フレーム４の端部に直接ローラ５を取り付けるものであってもよい（図示せず）。
【００２１】
前記搬送台１をその上面に着脱可能に載置係合してなる支持架台２は、図１および図３に示されるように、ステンレスやスチール等の剛性の高い金属材が使用され、矩形状に枠組みされた載置部１１とこの載置部１１の隅角部から垂設される脚部１２とから形成されている。
【００２２】
この脚部１２の下端には、支持架台２を移動可能とするキャスターまたは上下前後方向に調節可能な固定具１３が取付けられて支持架台２を床面の凹凸を吸収して水平面を維持しているものである。
【００２３】
搬送台１と支持架台２は、支持架台２の載置部１１の上端四隅に上向きの係合凹部１４が形成され、上面に載置される搬送台１のベルト保持フレーム５の対応位置に形成されたファスナー１５の下端に設けた差込片１６を脱抜可能に嵌合して組立てることにより、搬送台１をワンタッチ式に容易に支持架台２に分離したり、連結させることができるとともに、支持架台２に搬送台１を水平にかつ正確な位置で取付けることができるものである。
【００２４】
さらに、搬送台１のコンベアベルト７を回動させるための駆動部３は、図３および図４に示されるように、モータ１７をその一端に設けた防水型の駆動プーリ１８と、この駆動プーリ１８の両側に密接状に設けられる２本のスナップローラ１９とから形成されている。
【００２５】
コンベアベルト１０を回動駆動させるためのモータ１７をその一端に設けた駆動プーリ１８は、支持架台２のややその上方に突出状に設けられた取付板２０に支軸２１を挿通してベルト保持フレーム４の下面側に取付けられている。
【００２６】
なお、この取付板２０は支持架台２に固定するものであってもよいが、支持架台２に挿着部を形成して取付け板を脱抜可能に差込み取付けるものであってもよい（図示せず）。
【００２７】
この駆動プーリ１８の両側には、ベルト保持フレーム４に回動可能に取付けられる駆動プーリ１８より小径のスナップローラ１９を密接状に設けて、駆動プーリ１８とスナップローラ１９との間にコンベアベルト７が圧接状に挿通されて駆動プーリ１８に巻回することにより、コンベアベルト７の張力が強められて、その駆動効率を高めるものである。
【００２８】
コンベアベルト７を備えた搬送台１は、そのベルト保持フレーム４の垂下片９に下向きに開口された切欠部２２を穿設して、駆動プーリ１８の支軸２１を挿通している。
【００２９】
なお、符号２３は、支持架台２の適宜位置に立設されている操作板を示すものである。
【００３０】
上記のように構成されている本発明に係る着脱式コンベア装置は、コンベアベルト７を有する搬送台１と支持架台２とが分離されるように組立てられている。
【００３１】
すなわち搬送台１と支持架台２は、図１に示されるように、コンベアベルト７を装着した状態において、搬送台１を上方に持ち上げることにより、支持架台２の四隅に形成されている係合凹部１４から搬送台１のファスナー１５の差込み片１６が脱抜されて、図２に示されるように、搬送台１のみが分離される。
【００３２】
このように搬送台１を支持架台２から分離することによって、緊張状に巻回されていたコンベアベルト７は、駆動部３に取付けられているスナップローラ１９と支持架台２に取付けられている駆動プーリ１８との密接状態が解消されて、その圧接状の巻回が自動的に解除されて弛緩され、ベルト保持フレーム４からの取外しが容易に行なわれる。
【００３３】
無論このコンベアベルト７は支持架台２と搬送台１との係合状態においてもその端部に設けられたブラケット６を回動することによっても、コンベアベルト７を取り外すことは可能である。
【００３４】
このように搬送台１と支持架台２とが容易に分離され、また、コンベアベルト７を取り外すことができることによって、コンベアベルト７以外、搬送台１のベルト保持フレーム４の内側や各種部品との接触部分等のその組立て状態では不可能であった部位の洗浄による清掃が可能となるものである。
【００３５】
さらに搬送台１と支持架台２とが容易に分離することによって、支持架台２を変えることなく、搬送台１のみを速やかに交換することが可能である。
【００３６】
すなわち、搬送台１を構成するコンベアベルト７やベルト保持フレーム４に汚れが生じても、この搬送台１のみを交換することによって、その搬送が中断されたり、停止されたりすることなく速やかに交換されて、その搬送を再開することができる。
【００３７】
また、搬送台１と支持架台２とを分離することにより、長短の搬送台１のみを適宜選択して組み合わせることにより、所望の搬送ラインを構成することが容易となるものである。
【００３８】
【発明の効果】
以上説明したように、本発明に係る着脱式コンベア装置によれば、コンベアベルトを有する搬送台と、この搬送台をその上面に載置係合してなる支持架台とを分離可能に設置することにより、各部材をユニット単位で分割して、とくに汚れが付着し易い搬送台の隅々まで洗浄されるとともに搬送台をその搬送ラインにより適宜選択することができる。
【００３９】
さらに、搬送台を係合する支持架台は、脱抜可能に嵌合係止されて、搬送台の支持架台からの分離する際の作業が容易に行なわれると同時にその装着の際の芯出しを正確に行なうことができる。
【００４０】
さらに、搬送台は、支持架台の前後端側の少なくとも一方には、ローラを有するブラケットを上方向に回動可能に設けてなるもので、コンベアベルトのみをベルト保持フレームから必要に応じて取外してなることができる。
【００４１】
さらに、支持架台の略中央部に形成される駆動部において、駆動プーリとスナップローラを密接して形成され、コンベアベルトを圧接状に挿通して駆動プーリに巻回して駆動させることにより、駆動時におけるコンベアベルトの張力を強めて駆動効率を高め、また、搬送台の脱抜の際コンベアベルトを装着したままの状態で支持架台より取外すことができる。
【００４２】
さらに、搬送台は、ベルト保持フレームの両側に垂設される垂下片に下向きの開口部を穿設して、駆動部の駆動プーリの支軸に脱抜可能に装着されているため、搬送台を取り外すことによりコンベアベルトを弛緩して容易に取外せることができるものである。
【図面の簡単な説明】
【図１】この発明の着脱式コンベア装置を示す正面側の略示図である。
【図２】分離可能な搬送台を示す略示図である。
【図３】同じく搬送台を示す平面側の略示図である。
【図４】支持架台への駆動部の取付け状態を示す側面側の略示図である。
【符号の説明】
１        搬送台
２        支持架台
３        駆動部
４        ベルト保持フレーム
５        ローラ
６        ブラケット
７        コンベアベルト
８        ベルト保持フレーム４のベルト載置片
９        ベルト保持フレーム４の垂下片
１１      支持架台２の載置部
１２      支持架台２の脚部
１４      支持架台２の係合凹部
１５      搬送台１の差込片
１８      駆動部３の駆動プーリ
１９      駆動部３のスナップローラ
２１      駆動プーリ２０の支軸
２２      ベルト保持フレーム４の切欠部
【図１】
0003656583.tif 000002
【図２】
0003656583.tif 000003
【図３】
0003656583.tif 000004
【図４】
0003656583.tif 000005